(57)【要約】【課題】本発明は、簡易な構成で導電性のギアプレートを接地することができる画像形成装置を提供することを目的とする。【解決手段】画像形成部を支持するサイドフレーム１１０と、画像形成部と連結するギア機構１４０と、サイドフレーム１１０との間でギア機構１４０を挟む位置に配置され、ギア機構１４０を支持する導電性のギアプレート３００と、給紙ローラと、記録シートが載置され、記録シートを給紙ローラに向けて移動可能な載置台と、導電性を有し、載置台を給紙ローラに向けて移動させる持ち上げ部材２１０と、持ち上げ部材２１０に係合し、載置台を給紙ローラに近づけるように持ち上げ部材２１０を付勢する引張バネ２２０とを備えた画像形成装置である。持ち上げ部材２１０は、電気的に接地され、引張バネ２２０は、導電性を有しており、ギアプレート３００に設けられた係合部３２０に係合されている。【選択図】図２
2014089393.tif 000002
【特許請求の範囲】
【請求項１】
画像形成部を支持するフレームと、
前記画像形成部と連結するギアと、
前記フレームとの間で前記ギアを挟む位置に配置され、前記ギアを支持する導電性のギアプレートと、
給紙ローラと、
記録シートが載置され、前記記録シートを前記給紙ローラに向けて移動可能な載置台と、
導電性を有し、前記載置台を前記給紙ローラに向けて移動させる持ち上げ部材と、
前記持ち上げ部材に係合し、前記載置台を前記給紙ローラに近づけるように前記持ち上げ部材を付勢する付勢部材とを備え、
前記持ち上げ部材は、電気的に接地され、
前記付勢部材は、導電性を有しており、前記ギアプレートに設けられた係合部に係合されていることを特徴とする画像形成装置。
【請求項２】
前記ギアプレートは、その輪郭に前記持ち上げ部材側とは反対側に凹むように形成された凹部を有し、
前記係合部は、前記凹部を挟む一対の側部のうち一方側に設けられていることを特徴とする請求項１に記載の画像形成装置。
【請求項３】
導電性の軸を有し、前記ギアプレートとは別の部材に支持された搬送ローラと、
導電性を有し、前記軸と前記ギアプレートとを導通する導通部材とを備えたことを特徴とする請求項１または請求項２に記載の画像形成装置。
【請求項４】
導電性を有し、前記軸を回転可能に支持する軸受を備え、
前記ギアプレートは、前記持ち上げ部材に対して前記係合部と反対側に位置する第２係合部を有し、
前記導通部材は、前記軸受と前記第２係合部とを連結することを特徴とする請求項３に記載の画像形成装置。
【請求項５】
前記ギアプレートは、切欠部を有し、
前記搬送ローラは、前記軸の軸方向から見て、前記切欠部と重なる位置にあることを特徴とする請求項３または請求項４に記載の画像形成装置。
【請求項６】
前記フレームは、前記画像形成部を挟んで一方側に配置され、前記ギアプレートを固定する樹脂製の第１フレームと、前記画像形成部を挟んで他方側に配置された樹脂製の第２フレームとを有し、
前記第１フレームと前記第２フレームとを連結し、前記持ち上げ部材に導通した導電プレートと、
前記第２フレームに固定され、電源基板を覆い、電気的に接地されたアース部と導通する導電性のカバー部材とを備え、
前記導電プレートは、前記カバー部材と接続することで接地されていることを特徴とする請求項１から請求項５のいずれか１項に記載の画像形成装置。
【請求項７】
前記持ち上げ部材は、導電性の軸部材を有し、当該軸部材と前記導電プレートが導通していることを特徴とする請求項６に記載の画像形成装置。
【請求項８】
前記導電プレートと前記持ち上げ部材を連結して、前記導電プレートと前記持ち上げ部材を導通するための導電性の弾性部材をさらに備えることを特徴とする請求項６または請求項７に記載の画像形成装置。
【請求項９】
前記第１フレームに設けられる駆動源と、
前記駆動源の駆動力を前記ギアに伝達するベルト伝達機構と、
前記第１フレームと前記第２フレームとを連結し、前記画像形成部に設けられるスキャナを支持する導電性のスキャナプレートと、
前記駆動源を支持する導電性の駆動源支持部材とを備え、
前記スキャナおよび前記駆動源支持部材は、前記スキャナプレートを介して前記カバー部材と接続することで接地されていることを特徴とする請求項６から請求項８のいずれか１項に記載の画像形成装置。
【発明の詳細な説明】
【技術分野】
【０００１】
本発明は、ギアプレートを備えた画像形成装置に関する。
【背景技術】
【０００２】
従来、画像形成部を支持するフレームと、ギアと、フレームとの間でギアを挟みギアを支持するギアプレートとを備えた画像形成装置が知られている（特許文献１参照）。このような画像形成装置では、一般にギアの軸間距離の誤差を少なくするために、金属製のギアプレートを用いる場合がある。
【先行技術文献】
【特許文献】
【０００３】
【特許文献１】特開２００８−１５０７７号公報
【発明の概要】
【発明が解決しようとする課題】
【０００４】
ところで、金属製のギアプレートは、導電性を有するので、ギアプレート表面に溜まった静電気を除去するため電気的に接地する必要がある。しかしながら、樹脂製のフレームを備えた画像形成装置の場合、フレームを介してギアプレートを接地することができないので、接地用の部材を新たに追加する必要があり、画像形成装置の構成が複雑になる虞がある。
【０００５】
そこで、本発明は、簡易な構成で導電性のギアプレートを接地することができる画像形成装置を提供することを目的とする。
【課題を解決するための手段】
【０００６】
前記した目的を達成するため、本発明の画像形成装置は、画像形成部を支持するフレームと、画像形成部と連結するギアと、フレームとの間でギアを挟む位置に配置され、ギアを支持する導電性のギアプレートと、給紙ローラと、記録シートが載置され、記録シートを給紙ローラに向けて移動可能な載置台と、導電性を有し、載置台を給紙ローラに向けて移動させる持ち上げ部材と、持ち上げ部材に係合し、載置台を給紙ローラに近づけるように持ち上げ部材を付勢する付勢部材とを備える。
持ち上げ部材は、電気的に接地され、付勢部材は、導電性を有しており、ギアプレートに設けられた係合部に係合されている。
【０００７】
このような構成によれば、導電性を有する付勢部材がギアプレートに設けられた係合部に係合されているので、ギアプレートを付勢部材を介して電気的に接地された持ち上げ部材と導通させることができる。そのため、簡易な構成でギアプレートを接地することができる。
【０００８】
前記した構成において、ギアプレートは、その輪郭に持ち上げ部材側とは反対側に凹むように形成された凹部を有し、係合部は、凹部を挟む一対の側部のうち一方側に設けられた構成とすることができる。
【０００９】
このような構成によれば、ギアプレートと持ち上げ部材の干渉を防止しつつ、簡易な構成で持ち上げ部材に付勢力を与えることができる。
【００１０】
前記した画像形成装置は、導電性の軸を有し、ギアプレートとは別の部材に支持された搬送ローラと、導電性を有し、前記軸とギアプレートとを導通する導通部材とを備える構成とすることができる。
【００１１】
このような構成によれば、搬送ローラの軸が導通部材を介してギアプレートと導通するので、軸に蓄積された電荷を除去することができる。
【００１２】
前記した搬送ローラと導通部材とを備える画像形成装置は、導電性を有し、前記軸を回転可能に支持する軸受を備え、ギアプレートは、持ち上げ部材に対して係合部と反対側に位置する第２係合部を有し、導通部材は、軸受と第２係合部とを連結する構成とすることができる。
【００１３】
前記した搬送ローラと導通部材とを備える構成において、ギアプレートは、切欠部を有し、搬送ローラは、前記軸の軸方向から見て、切欠部と重なる位置にある構成とすることができる。
【００１４】
このような構成によれば、搬送ローラが軸方向から見て切欠部と重なる位置にあるので、軸方向から搬送ローラ用のギアを組み付けやすくなる。
【００１５】
前記した構成において、フレームは、画像形成部を挟んで一方側に配置され、ギアプレートを固定する樹脂製の第１フレームと、画像形成部を挟んで他方側に配置された樹脂製の第２フレームとを有する構成とすることができる。
この構成において、画像形成装置は、第１フレームと第２フレームとを連結し、持ち上げ部材に導通した導電プレートと、第２フレームに固定され、電源基板を覆い、電気的に接地されたアース部と導通する導電性のカバー部材とを備え、導電プレートは、カバー部材と接続することで接地された構成とすることができる。
【００１６】
このような構成によれば、導電プレートが電源基板と接続することで接地されているので、簡易な構成で持ち上げ部材（ギアプレート）を接地することができる。
【００１７】
前記した構成において、持ち上げ部材は、導電性の軸部材を有し、当該軸部材と導電プレートが導通している構成とすることができる。
【００１８】
このような構成によれば、軸部材を介して持ち上げ部材と導電プレートを簡易に導通させることができる。
【００１９】
前記した画像形成装置は、導電プレートと持ち上げ部材を連結して、導電プレートと持ち上げ部材を導通するための導電性の弾性部材をさらに備える構成とすることができる。
【００２０】
このような構成によれば、導電性の弾性部材を介して持ち上げ部材と導電プレートを簡易に導通させることができる。
【００２１】
前記した画像形成装置は、第１フレームに設けられる駆動源と、駆動源の駆動力をギアに伝達するベルト伝達機構と、第１フレームと第２フレームとを連結し、画像形成部に設けられるスキャナを支持する導電性のスキャナプレートと、駆動源を支持する導電性の駆動源支持部材とを備え、スキャナおよび駆動源支持部材は、スキャナプレートを介してカバー部材と接続することで接地された構成とすることができる。
【００２２】
このような構成によれば、スキャナプレートを介してスキャナおよび駆動源支持部材を接地することができる。
【発明の効果】
【００２３】
本発明によれば、導電性を有する付勢部材がギアプレートに設けられた係合部に係合されているので、ギアプレートを付勢部材を介して電気的に接地された持ち上げ部材と導通させることができる。そのため、簡易な構成でギアプレートを接地することができる。
【図面の簡単な説明】
【００２４】
【図１】本発明の実施形態に係るレーザプリンタの断面図である、
【図２】レーザプリンタに配置されたギアプレートを左側から見た図である。
【図３】図２のＡ−Ａ断面図である。
【図４】導電プレートと持ち上げ部材とを示す斜視図（ａ）と、弾性部材が配置された部分を示す拡大図（ｂ）である。
【図５】第２フレームを右側から見た図である。
【発明を実施するための形態】
【００２５】
次に、本発明の一実施形態について、適宜図面を参照しながら詳細に説明する。なお、以下の説明においては、まず、本発明の一実施形態に係るレーザプリンタの全体構成を説明した後、本発明の特徴部分を詳細に説明する。
【００２６】
以下の説明において、方向は、レーザプリンタ使用時のユーザを基準にした方向で説明する。すなわち、図１において、紙面に向かって左側を「前側」、紙面に向かって右側を「後側」とし、紙面に向かって奥側を「左側」、紙面に向かって手前側を「右側」とする。また、紙面に向かって上下方向を「上下方向」とする。
【００２７】
＜レーザプリンタの概略構成＞
図１に示すように、レーザプリンタ１は、装置本体２と、記録シートの一例としての用紙Ｐを給紙するためのフィーダ部３と、用紙Ｐに画像を形成するための画像形成部４とを備えている。
【００２８】
装置本体２は、筐体１００と、トップカバー２２と、フロントカバー２３とを備えている。筐体１００は、その上部に後述するプロセスカートリッジ６の着脱のための開口２１Ａを有するとともに、その前部に用紙Ｐを差し込むための差込口２１Ｂを有している。
【００２９】
具体的に、トップカバー２２は、トップカバー２２の回動軸２２Ａが装置本体２の上側後方に設けられており、この回動軸２２Ａを中心として上方に回動するようになっている。また、トップカバー２２は、装置本体２の後側端部から前側端部までを覆うカバーであり、上方に回動することによって、装置本体２の上側が開放されるようになっている。
【００３０】
フロントカバー２３は、フロントカバー２３の回動軸２３Ａが装置本体２の前側下部に設けられており、この回動軸２３Ａを中心として前方に回動するようになっている。なお、図１において、２点鎖線で示すフロントカバー２３が、装置本体２の前側を閉じた状態であり、実線で示すフロントカバー２３が、装置本体２の前側を開放した状態である。筐体１００の構成については、後述する。
【００３１】
フィーダ部３は、装置本体２の下部に位置し、用紙Ｐを載置するための給紙トレイ３１と、給紙トレイ３１上の用紙Ｐを給紙する給紙機構３２と、給紙された用紙Ｐを画像形成部４に向けて搬送する搬送ローラ３３とを備えている。
【００３２】
給紙トレイ３１は、装置本体２の下部に配置される載置台３１Ａと、前述したフロントカバー２３とによって構成されている。具体的には、フロントカバー２３は、下端部を中心にして前後に揺動可能となっており、前側に倒した状態において、給紙トレイ３１の一部を構成している。
【００３３】
載置台３１Ａは、用紙Ｐが載置される板状の部材であり、上面に載置された用紙Ｐを後述する給紙ローラ３２Ａに向けて移動可能に構成されている。また、載置台３１Ａは、後述する持ち上げ部材２１０に移動させられることにより、後端部が用紙Ｐを給紙ローラ３２Ａに給紙可能な位置まで移動可能となっている。
【００３４】
給紙機構３２は、給紙ローラ３２Ａと、分離ローラ３２Ｂと、分離パッド３２Ｃとを主に備えている。給紙ローラ３２Ａは、分離ローラ３２Ｂよりも用紙Ｐの搬送方向上流側で、載置台３１Ａの後端の上に配置されている。分離ローラ３２Ｂは、分離パッド３２Ｃと対向して配置されている。
【００３５】
搬送ローラ３３は、図３に示すように、金属製（導電性）の軸の一例としての搬送ローラ軸３４を有している。この搬送ローラ軸３４は、後述する第１フレーム１１１と第２フレーム１１２に設けられた一対の軸受２４０に支持されている。つまり、搬送ローラ３３は、後述するギアプレート３００とは別の部材に支持されている。
【００３６】
一対の軸受２４０は、搬送ローラ軸３４を回転可能に支持するための導電性樹脂で形成された部材であり、第２フレーム１１２の軸支持部１１２Ｄおよび第１フレーム１１１の軸支持部１１１Ｄに支持されている。
左側の軸受２４０には、後述する導通部材２５０が係合する導電性のフック部２４１が設けられている。
【００３７】
図１に戻り、フィーダ部３では、フロントカバー２３を前側に倒して給紙トレイ３１を形成した後で、この給紙トレイ３１上に用紙Ｐを載せる。そして、給紙トレイ３１上に載置された用紙Ｐに給紙ローラ３２Ａが接触して回転することで、給紙トレイ３１上に載置された用紙Ｐが分離ローラ３２Ｂへ送り出され、送り出された用紙Ｐが、分離ローラ３２Ｂと分離パッド３２Ｃとの間で１枚ずつに分離される。そして、用紙Ｐは、搬送ローラ３３を通過して画像形成部４に供給される。
【００３８】
画像形成部４は、スキャナの一例としてのスキャナユニット５と、プロセスカートリッジ６と、定着装置７とを備えている。
【００３９】
スキャナユニット５は、装置本体２内の前側に設けられ、図示しないレーザ発光部、ポリゴンミラー、レンズおよび反射鏡などを備えている。このスキャナユニット５では、レーザビームを、後述する感光ドラム６１の表面上に高速走査にて照射する。
【００４０】
プロセスカートリッジ６は、装置本体２の後側中央部付近に位置しており、給紙機構３２の上部に設けられている。プロセスカートリッジ６は、開口２１Ａを通して筐体１００に対して上側前方に向かって着脱可能であり、感光ドラム６１と、感光ドラム６１上のトナー像を用紙Ｐに転写させる転写ローラ６２と、図示しない公知の帯電器、現像ローラ、層厚規制ブレード、トナー収容室などを備えている。
【００４１】
このプロセスカートリッジ６では、回転する感光ドラム６１の表面が、帯電器により一様に帯電された後、スキャナユニット５からのレーザビームの高速走査により露光される。これにより、露光された部分の電位が下がって、感光ドラム６１の表面に画像データに基づく静電潜像が形成される。
【００４２】
次いで、トナー収容室内のトナーが現像ローラによって感光ドラム６１の静電潜像に供給され、感光ドラム６１の表面上にトナー像が形成される。その後、感光ドラム６１と転写ローラ６２の間で用紙Ｐが搬送されることで、感光ドラム６１の表面に担持されているトナー像が用紙Ｐ上に転写される。
【００４３】
定着装置７は、装置本体２の上側後方に位置し、プロセスカートリッジ６の上方に配置されており、主に、加熱ローラ７１と、加圧ローラ７２とを備えている。
【００４４】
加熱ローラ７１は、用紙Ｐを加熱する部材であり、その内側には、ハロゲンランプ等の図示しない熱源が設けられている。
加圧ローラ７２は、加熱ローラ７１との間で用紙Ｐを挟持して搬送する部材であり、加熱ローラ７１の後斜め上側に設けられている。
【００４５】
そして、このように構成される定着装置７では、用紙Ｐ上に転写されたトナーを、用紙Ｐが加熱ローラ７１と加圧ローラ７２との間を通過する間に熱定着している。なお、定着装置７で熱定着された用紙Ｐは、定着装置７の下流側に配設される排出ローラ８に搬送され、この排出ローラ８から排出トレイ９上に排出される。
【００４６】
＜筐体の詳細構成＞
次に、装置本体２を構成する筐体１００の詳細構成について説明する。
筐体１００は、図２，図３に示すように、フレームの一例としてのサイドフレーム１１０を備えている。
【００４７】
サイドフレーム１１０は、樹脂製であり、画像形成部４を支持している。このサイドフレーム１１０は、画像形成部４を挟んで左側（一方側）に配置される第１フレーム１１１と、右側（他方側）に配置される第２フレーム１１２とから構成されている。
【００４８】
第１フレーム１１１は、駆動源の一例としてのモータ１２０と、ベルト伝達機構１３０と、ギア機構１４０と、ギアプレート３００とを主に備えている。
【００４９】
モータ１２０は、感光ドラム６１等を回転駆動させるための駆動源であり、後述するモータ支持部材２００を介して第１フレーム１１１の側壁１１１Ａにおける第２フレーム１１２と対向する側に設けられている。モータ１２０は、第１フレーム１１１の前部に配置され、側壁１１１Ａの外側に突出した出力軸１２２（図３参照）にギア１２１が設けられている。
【００５０】
ベルト伝達機構１３０は、モータ１２０の駆動力をギア機構１４０に伝達する機構であり、駆動プーリ１３１と、ベルト１３２と、従動プーリ１３３とから構成されている。
駆動プーリ１３１は、ギア１２１と噛合可能な位置に配置され、ギア１２１と噛み合うギア部１３１Ａと、ギア部１３１Ａと一体に構成されたプーリ部１３１Ｂとから構成されている。
【００５１】
従動プーリ１３３は、第１フレーム１１１の後方に配置され、ギア機構１４０に駆動力を伝達するギア部１３３Ａと、ギア部１３３Ａと一体に構成されたプーリ部１３３Ｂとから構成されている。
ベルト１３２は、絶縁性であり、駆動プーリ１３１のプーリ部１３１Ｂと従動プーリ１３３のプーリ部１３３Ｂとの間に張設されており、駆動プーリ１３１の回転駆動力を従動プーリ１３３に伝達する。
【００５２】
ギア機構１４０は、従動プーリ１３３から伝達される駆動力を感光ドラム６１等に伝達する機構である。このギア機構１４０は、ドラムギア１４１と、排出ギア機構１４２と、搬送ギア機構１４３と、給紙ギア機構１４４とから構成されている。
【００５３】
ドラムギア１４１は、感光ドラム６１を回転駆動させるギアであり、従動プーリ１３３の後方においてギア部１３３Ａと噛み合うように配置されている。
排出ギア機構１４２は、排出ローラ８に駆動力を伝達する機構であり、従動プーリ１３３の上方に配置されている。
【００５４】
排出ギア機構１４２は、従動プーリ１３３のギア部１３３Ａと噛み合うことで駆動力が伝達される排出伝達ギア１４２Ａと、排出伝達ギア１４２Ａと噛み合うことで駆動力が伝達される第１排出中間ギア１４２Ｂと、第１排出中間ギア１４２Ｂと噛み合うことで駆動力が伝達される第２排出中間ギア１４２Ｃと、第２排出中間ギア１４２Ｃと噛み合うことで駆動力が伝達される排出ローラギア１４２Ｄとから構成されている。
【００５５】
搬送ギア機構１４３は、搬送ローラ３３に駆動力を伝達する機構であり、従動プーリ１３３の後斜め下方に配置されている。この搬送ギア機構１４３は、従動プーリ１３３のギア部１３３Ａと噛み合う伝達ギア１４３Ａと、伝達ギア１４３Ａの後斜め上方に配置される第１中間ギア１４３Ｂと、第１中間ギア１４３Ｂの後方に配置される搬送ローラギア１４５とから構成されている。
【００５６】
搬送ローラギア１４５は、搬送ローラ３３を回転駆動させるギアであり、伝達ギア１４３Ａと噛み合う第１中間ギア１４３Ｂと噛み合うことで駆動力が伝達される。また、搬送ローラギア１４５は、搬送ローラ３３の搬送ローラ軸３４に設けられている（図３参照）。
【００５７】
給紙ギア機構１４４は、給紙ローラ３２Ａおよび分離ローラ３２Ｂに駆動力を伝達する機構であり、搬送ギア機構１４３の下方に配置されている。この給紙ギア機構１４４は、伝達ギア１４３Ａの前斜め下方に配置される第２中間ギア１４６と、第２中間ギア１４６の後斜め下方に配置される給紙ローラギア１４４Ａと、給紙ローラギア１４４Ａの後斜め上方に配置される分離ローラギア１４４Ｂとから構成されている。
【００５８】
第２中間ギア１４６は、伝達ギア１４３Ａおよび給紙ローラギア１４４Ａと噛合可能なギア部１４６Ａと、伝達ギア１４３Ａおよび給紙ローラギア１４４Ａと噛合不能な欠歯部１４６Ｂとを有しており、所定のタイミングで伝達ギア１４３Ａとギア部１４６Ａが噛み合うことで、給紙ローラギア１４４Ａおよび分離ローラギア１４４Ｂに駆動力を伝達するように構成されている。
【００５９】
給紙ローラギア１４４Ａは、給紙ローラ３２Ａを回転駆動させるギアであり、第２中間ギア１４６のギア部１４６Ａと噛み合うこと駆動力が伝達される。
分離ローラギア１４４Ｂは、分離ローラ３２Ｂを回転駆動させるギアであり、給紙ローラギア１４４Ａと噛み合うことで駆動力が伝達される。
【００６０】
ギアプレート３００は、ギア機構１４０を支持する金属製（導電性）の部材であり、第１フレーム１１１との間でギア機構１４０を挟む位置に配置されている。ギアプレート３００の構成については後述する。
【００６１】
また、筐体１００は、図３に示すように、導電プレート１５０と、電源基板１６０と、カバー部材１７０と、金属部材１８０と、スキャナプレート１９０と、駆動源支持部材の一例としてのモータ支持部材２００とを備えている。
【００６２】
導電プレート１５０は、例えば、板金のような金属製（導電性）の板から形成されており、第１フレーム１１１の底部と第２フレーム１１２の底部を連結するように、第１フレーム１１１と第２フレーム１１２に固定されている。また、導電プレート１５０は、前後方向において、サイドフレーム１１０の中央部よりも少し後側に配置されている（図２参照）。
【００６３】
図４（ａ）に示すように、導電プレート１５０には、左端部と右端部に孔１５０Ａと孔１５０Ｂがそれぞれ前後に一対設けられている。孔１５０Ａ，１５０Ｂは、上下方向に貫通したネジを通すための孔である。導電プレート１５０の左端部および右端部は、孔１５０Ａ，１５０Ｂに図示しないネジを通して、第１フレーム１１１および第２フレーム１１２に設けられた図示しないネジ穴にねじ込むことにより第１フレーム１１１および第２フレーム１１２に固定されている。
【００６４】
導電プレート１５０は、軸支持部１５１と、掛止部１５３と、固定部１５４とが設けられている。
【００６５】
軸支持部１５１は、持ち上げ部材２１０を支持する部分であり、導電プレート１５０の左右方向の中央部よりも右側の位置と左端部に一対設けられている。また、軸支持部１５１は、導電プレート１５０の一部を切り起こすことで形成されている。
【００６６】
掛止部１５３は、後述する弾性部材２３０を掛止する部分であり、左側の軸支持部１５１の右側の位置に設けられている。また、掛止部１５３は、図４（ｂ）に示すように、導電プレート１５０の一部を切り起こすことで設けられ、上方に突出した後、前方に曲がるように形成されている。
【００６７】
図４（ａ）に戻り、固定部１５４は、後述するカバー部材１７０を固定する部分であり、導電プレート１５０の右端部から上方に突出するように形成されている。固定部１５４には、貫通した固定穴１５４Ａが設けられている。この固定部１５４は、第２フレーム１１２の側壁１１２Ａの外側に入り込んだような位置に配置されている（図３参照）。
【００６８】
導電プレート１５０には、持ち上げ部材２１０が上下に回動自在に支持されている。
持ち上げ部材２１０は、載置台３１Ａを給紙ローラ３２Ａに向けて移動させる部材であり、例えば、板金のような金属製の部材から形成されている。
【００６９】
持ち上げ部材２１０は、載置台３１Ａと当接する部分である当接部２１２と、掛止部１５３に対向して配置される掛止穴２１７とを有している。
掛止穴２１７は、弾性部材２３０を掛止する部分である。
【００７０】
弾性部材２３０は、例えば、図４（ｂ）に示すように、導電性のコイルバネであり、後側端部２３１が掛止穴２１７に掛止され、前側端部２３２が掛止部１５３に掛止されている。このように、弾性部材２３０を介することで、持ち上げ部材２１０と導電プレート１５０を簡易に導通することが可能となっている。
【００７１】
図４（ａ）に戻り、持ち上げ部材２１０は、軸部材の一例としての第１回動軸２１１と、第２回動軸２１３と、バネ支持部２１４とを有している。
【００７２】
第１回動軸２１１は、導電性樹脂で形成されており、導電プレート１５０の右側の軸支持部１５１に支持される軸部２１１Ａと、持ち上げ部材２１０に固定される固定部２１１Ｂとを有している。
【００７３】
第２回動軸２１３は、導電性樹脂で形成されており、導電プレート１５０の左側の軸支持部１５１に支持されている。このように、第１回動軸２１１と第２回動軸２１３を介することで、持ち上げ部材２１０と導電プレート１５０を簡易に導通することが可能となっている。
【００７４】
バネ支持部２１４は、上方および後方に延びる略Ｌ字状に形成されており（図２参照）、第２回動軸２１３と一体に構成されている。このバネ支持部２１４は、上方に延びる部分の上端に、引張バネ２２０を係合するためのフック部２１５を有している。
【００７５】
引張バネ２２０は、載置台３１Ａを給紙ローラ３２Ａに近づけるように持ち上げ部材２１０を付勢する部材であり、導電性を有している。引張バネ２２０は、後端部２２１がフック部２１５に係合し、前端部２２２がギアプレート３００に係合している。
【００７６】
電源基板１６０は、図３に示すように、レーザプリンタ１の内部に電力を供給する回路基板であり、第２フレーム１１２の下部に配置されている。
【００７７】
カバー部材１７０は、電源基板１６０を覆う導電性の部材であり、カバー部１７１と、蓋部１７２とを有してなる。
【００７８】
カバー部１７１は、右側に開口した箱状に形成されており、電源基板１６０を囲っている。また、図５に示すように、カバー部１７１は、電源ケーブルのアース線と接続されるアース部の一例としてのアース端子２７０が設けられている。
蓋部１７２は、カバー部１７１の開口した部分を塞ぐように配置されており、カバー部１７１と導通している。また、蓋部１７２は、電源基板１６０がネジ１７２Ａによって固定され、電源基板１６０のグランドと導通している。
【００７９】
また、図３に示すように、カバー部１７１の底面側の下端部および上端部には、カバー部材１７０を固定するための取付穴１７３，１７４が設けられており、カバー部材１７０は、取付穴１７３において導電プレート１５０の固定穴１５４Ａにネジ１１３により固定され、取付穴１７４において金属部材１８０の取付穴１８１とともに第２フレーム１１２に設けられた固定穴１１２Ｂにおいてネジ１１４により固定されている。
【００８０】
金属部材１８０は、例えば、板金で構成されており、下端部および上端部に設けられた取付穴１８１，１８２が第２フレーム１１２に設けられた固定穴１１２Ｂ，１１２Ｃにおいてネジ１１４，１１５により固定されている。
【００８１】
スキャナプレート１９０は、スキャナユニット５を支持する導電性の部材であり、スキャナユニット５と導通している。また、スキャナプレート１９０は、第１フレーム１１１および第２フレーム１１２を連結するように左右方向に延びて形成されており、その左右両端部には、両端部から下方に延出する一対の固定部１９１が設けられている。
【００８２】
一対の固定部１９１は、それぞれに取付穴１９１Ａが設けられており、右側の固定部１９１がネジ１１５によって第２フレーム１１２に固定され、左側の固定部１９１が後述するモータ支持部材２００とともに第１フレーム１１１に設けられた固定穴１１１Ｂにおいてネジ１１６によって第１フレーム１１１に固定されている。これにより、スキャナプレート１９０と金属部材１８０は、ネジ１１５を介して導通し、スキャナプレート１９０とモータ支持部材２００も導通している。
【００８３】
モータ支持部材２００は、モータ１２０を支持する金属製（導電性）の部材であり、下端部および上端部に設けられた取付穴２０１，２０２が第１フレーム１１１に設けられた固定穴１１１Ｂ，１１１Ｃにおいてネジ１１６，１１７により固定されている。
【００８４】
［ギアプレートの構成］
次に、ギアプレート３００の詳細構成について説明する。
ギアプレート３００は、図２に示すように、第１フレーム１１１の略後半分の位置に固定されており、一対の側部３１１Ａ，３１１Ｂと、凹部３１０と、係合部３２０と、第２係合部３３０と、切欠部３４０とを有している。
【００８５】
側部３１１Ａは、ギアプレート３００の下端部の前端から前方へ延びて形成され、側部３１１Ｂは、ギアプレート３００の下端部の中央付近から後方へ延びて形成されている。そして、側部３１１Ａ，３１１Ｂが前後に延びて形成されることでそれらの間に形成される上側（持ち上げ部材２１０側と反対側）に凹んだ部分が、凹部３１０となっている。この凹部３１０は、持ち上げ部材２１０に対応する位置に配置されている。
【００８６】
係合部３２０は、前側（一方側）の側部３１１Ａの下端部、つまり、持ち上げ部材２１０の前方に設けられており、前側に開口したフック形状を有している。この係合部３２０に、引張バネ２２０の前端部２２２が係合することで、ギアプレート３００は、引張バネ２２０を介して持ち上げ部材２１０と導通している。
【００８７】
第２係合部３３０は、後側の側部３１１Ｂの後端上部に設けられている。図３に示すように、第２係合部３３０は、右側に突出した後、その先端が下方に延出したフック形状に形成されており、導通部材２５０が係合している。
【００８８】
導通部材２５０は、例えば、導電性のコイルバネであり、上端部２５１がフック部２４１と係合し、下端部２５２が第２係合部３３０と係合している。このように第２係合部３３０に、導通部材２５０の下端部２５２が係合することで、ギアプレート３００は、導通部材２５０および軸受２４０を介して搬送ローラ軸３４と導通している。
【００８９】
切欠部３４０は、ギアプレート３００の後端下部で側部３１１Ｂの上側に、前方に凹むように形成されている。また、搬送ローラ３３は、左右方向（搬送ローラ軸３４の軸方向）から見て、切欠部３４０と重なる位置に配置されている。ここで、例えば、切欠部３４０を有さない構成の場合、ギアプレート３００を第１フレーム１１１に組み付ける前でなければ、搬送ローラ３３および搬送ローラギア１４５を組み付けることができない。しかし、本実施形態では、ギアプレート３００が切欠部３４０を有するので、ギアプレート３００を第１フレーム１１１に組み付けた後でも、切欠部３４０の位置から搬送ローラ３３および搬送ローラギア１４５を組み付けることができる。そのため、組み付け作業の自由度を向上させることができる。
【００９０】
以上のように構成されたレーザプリンタ１は、ギアプレート３００を固定する第１フレーム１１１が樹脂製であるので、第１フレーム１１１を通してギアプレート３００を接地することができない構成となっている。しかし、本実施形態のレーザプリンタ１では、ギアプレート３００は、図２に示すように、引張バネ２２０を介して持ち上げ部材２１０と導通している。この持ち上げ部材２１０は、図４（ａ）に示すように、第１回動軸２１１、第２回動軸２１３および弾性部材２３０を介して導電プレート１５０と導通している。そして、導電プレート１５０は、図３、図５に示すように、カバー部１７１と導通しており、カバー部１７１は、アース端子２７０と導通している。
【００９１】
つまり、ギアプレート３００、持ち上げ部材２１０および導電プレート１５０は、カバー部１７１を介してアース端子２７０と導通しており、電気的に接地されている。そのため、簡易な構成でギアプレート３００を接地することができる。
【００９２】
また、搬送ローラ軸３４は金属製（導電性）であるので、搬送ローラ３３により搬送する用紙Ｐ表面の電荷が蓄積されやすい構成となっている。しかし、本実施形態のレーザプリンタ１では、搬送ローラ軸３４の軸受２４０とギアプレート３００が導通部材２５０で導通している。
【００９３】
つまり、搬送ローラ軸３４は、軸受２４０およびギアプレート３００を介してアース端子２７０と導通しており、電気的に接地されている。そのため、搬送ローラ軸３４に用紙Ｐ表面に蓄積された電荷が蓄積されたような場合でも、ギアプレート３００を介して搬送ローラ軸３４に蓄積された電荷を除去することができる。
【００９４】
また、モータ支持部材２００は、図２に示すように、ベルト伝達機構１３０のベルト１３２が絶縁性であるので、ギアプレート３００と導通していない構成となっている。しかし、本実施形態のレーザプリンタ１では、図３に示すように、モータ支持部材２００は、スキャナプレート１９０と導通している。このスキャナプレート１９０は、ネジ１１５を介して金属部材１８０と導通しており、金属部材１８０は、カバー部１７１と導通している。
【００９５】
つまり、モータ支持部材２００、スキャナプレート１９０および金属部材１８０は、カバー部１７１を介してアース端子２７０と導通しており、電気的に接地されている。そのため、モータ支持部材２００をスキャナプレート１９０を介して簡易に接地することができる。
【００９６】
また、スキャナユニット５も、スキャナプレート１９０と導通しているので、スキャナプレート１９０を介してアース端子２７０と導通しており、電気的に接地されている。そのため、スキャナユニット５をスキャナプレート１９０を介して簡易に接地することができる。
【００９７】
また、ギアプレート３００の係合部３２０は、凹部３１０の前側（一方側）の側部３１１Ａに設けられたので、ギアプレート３００と持ち上げ部材２１０の干渉を防止しつつ、簡易な構成で持ち上げ部材２１０に付勢力を与えることができる。
【００９８】
以上、本発明の実施形態について説明したが、本発明は前記実施形態に限定されるものではない。具体的な構成については、本発明の趣旨を逸脱しない範囲で適宜変更が可能である。
【００９９】
前記実施形態では、持ち上げ部材２１０は、カバー部材１７０と接続することにより接地されていたが、持ち上げ部材２１０を直接接地してもよいし、導電プレート１５０を接地することにより接地してもよい。
【０１００】
前記実施形態では、付勢部材として引張バネ２２０を例示したが、本発明はこれに限定されず、例えば、板バネやトーションバネであってもよい。
【０１０１】
前記実施形態では、弾性部材２３０は、導電性のコイルバネを例示したが、本発明はこれに限定されず、例えば、導電ゴムであってもよい。
【０１０２】
前記実施形態では、導通部材２５０は、導電性のコイルバネを例示したが、本発明はこれに限定されず、例えば、導電性樹脂であってもよい。
【符号の説明】
【０１０３】
１      レーザプリンタ
４      画像形成部
５      スキャナユニット
３１Ａ  載置台
３２Ａ  給紙ローラ
３３    搬送ローラ
３４    搬送ローラ軸
１００  筐体
１１０  サイドフレーム
１１１  第１フレーム
１１２  第２フレーム
１２０  モータ
１３０  ベルト伝達機構
１４０  ギア機構
１５０  導電プレート
１６０  電源基板
１７０  カバー部材
１９０  スキャナプレート
２００  モータ支持部材
２１０  持ち上げ部材
２１１  第１回動軸
２２０  引張バネ
２３０  弾性部材
２４０  軸受
２５０  導通部材
２７０  アース端子
３００  ギアプレート
３１０  凹部
３１１Ａ，３１１Ｂ  側部
３２０  係合部
３３０  第２係合部
３４０  切欠部
Ｐ      用紙
【図１】
2014089393.tif 000003
【図２】
2014089393.tif 000004
【図３】
2014089393.tif 000005
【図４】
2014089393.tif 000006
【図５】
2014089393.tif 000007